Podtech/llm-jp-corpus-v4-ja_patent huggingface dataset:
(57)【要約】      （修正有）【課題】複数の波長のレーザ光を光ファイバで伝送する光波長多重通信用の光学測定器に関するものであり、複数本の光ファイバ内を伝送しているレーザ光の波長を一度に測定して作業能率を上げる事を目的としている。【解決手段】屈折率の大きいコア層を屈折率の小さいクラッド層ではさんだ構造の平面光伝送路を複数層積層し、周囲の壁面に球面反射鏡３と回折格子４を形成し、入射面５には光ファイバを一次元配列したリボンファイバ７を一括接続し、出射面６には二次元固体撮像素子８を配置した。リボンファイバ７からのレーザ光１１を分光して二次元固体撮像素子８により映像信号に変換し、その映像信号を信号処理装置１３で分析して、各光ファイバ内を伝送しているレーザ光１１の波長を測定する。【選択図】図２
0003141933.tif 000002
【実用新案登録請求の範囲】
【請求項１】
屈折率の大きいコア層を屈折率の小さいクラッド層ではさんだ構造の平面光伝送路を複数層積層し、周囲の壁面に球面反射鏡と回折格子を形成し、入射面には光ファイバを一次元配列したリボンファイバを接続し、出射面には二次元固体撮像素子を配置した測定器。
【考案の詳細な説明】
【技術分野】
【０００１】  本考案は複数の波長のレーザ光を光ファイバで伝送する光波長多重通信用の光学測定器に関するものである。
【背景技術】
【０００２】  光通信用の光ファイバは、数十本から数百本が１本のケーブルに内臓されて敷設されている。これを光波長多重化する場合は、同時に全部の光ファイバで実施される。光ファイバ内を伝送している光の状態を調べるには、個々の光ファイバを光学測定器と光コネクタで接続して、１本ずつ順番に測定していかなければならなかった。１本のケーブルを全部測定するのに何時間もかかり、より能率的な測定器が必要とされていた。
【考案の開示】
【考案が解決しようとする課題】
【０００３】  複数本の光ファイバを伝送している光の状態を一度に測定して作業能率を上げる事を目的としている。
【課題を解決するための手段】
【０００４】  屈折率の大きいコア層を屈折率の小さいクラッド層ではさんだ構造の平面光伝送路を複数層積層し、周囲の壁面に球面反射鏡と回折格子を形成し、入射面には光ファイバを一次元配列したリボンファイバを一括接続し、出射面には二次元固体撮像素子を配置した。二次元固体撮像素子から出力される映像信号を分析して、各光ファイバ内を伝送しているレーザ光の波長を全て特定できる。
【考案の効果】
【０００５】  リボンファイバの本数は６４本くらいまで増やせるので、６４本の光ファイバを伝送している光を一度に分析できるので、測定時間を短縮できる。
【考案を実施するための最良の形態】
【０００６】  この例では簡単のために３本の光ファイバの場合を示す。【０００７】  図１は屈折率の大きいコア層を屈折率の小さいクラッド層ではさんだ構造の平面光伝送路を３層積層し、周囲の壁面に球面反射鏡と回折格子を形成した状態の斜視図である。コア層の厚さは５０ミクロンで、間隔は１２５ミクロンである。大きさは数ｃｍ角で、全体の厚さは３７５ミクロンで非常に薄いが、図を見やすくするために厚さ方向を拡大して描いている。実際の装置の層数は６４層で、８ｍｍの厚さがある。球面反射鏡は壁面を円筒状に光学研磨してから金属を真空蒸着して形成する。回折格子は小片を格子が厚さ方向になるように貼り付けてある。壁面はさらに入射面と出射面がある。【０００８】  図２は多層固体分光器の平面図である。入射面には３本の光ファイバを一次元配列したリボンファイバを接続し、出射面には二次元固体撮像素子を配置した。光ケーブルの光ファイバとリボンファイバは光コネクタで接続され、リボンファイバから各コア層に入射したレーザ光は球面反射鏡により並行光線となって回折格子に入射し、回折格子で回折されて球面反射鏡により二次元固体撮像素子に波長毎に入射して映像信号に変換される。厚さ方向はコア層に閉じ込められて伝送されていくので、各層のレーザ光が混ざる事はない。二次元固体撮像素子の各セルは数ミクロン角の大きさで数百個ｘ数百個あるから、各コア層には十数個のセル列が対応し、映像信号は十数個の同じパターンが繰り返しつながって出力される。このパターンを信号処理装置で加算処理すれば弱いレーザ光の場合も分析できる。映像信号のピーク位置から各光ファイバ内を伝送しているレーザ光の全部の波長を特定できる。
【図面の簡単な説明】
【００１０】
【図１】３層構造の平面光伝送路の斜視図である。
【図２】多層固体分光器の平面図である。
【符号の説明】
【００１１】１    コア層
２    クラッド層
３    球面反射鏡
４    回折格子
５    入射面
６    出射面
７    リボンファイバ
８    二次元固体撮像素子
９    光ケーブル
１０    光コネクタ
１１    レーザ光
１２    セル
１３    信号処理装置
【図１】
0003141933.tif 000003
【図２】
0003141933.tif 000004
(57)【要約】      （修正有）【課題】雨や雪の日に、戸外で手元を濡らさず両手を使って軽作業をすることは困難である。両手以外で傘を差すことができる傘柄部固定具を提供する。【解決手段】一般の傘を使用するための傘柄部固定具２に、身体に取り付け固定するための胴バンド３と肩掛けバンド５を設けて、胸部に固定して傘を差すことで課題を解決する。【選択図】図１
0003141937.tif 000002
【実用新案登録請求の範囲】
【請求項１】
開いた傘の柄部を取り付ける器具を有したバンドで、身体に取り付け固定して両の手を使わずして傘を差すことを可能にした傘差し具
【考案の詳細な説明】
【技術分野】
【０００１】  本考案は、両の手を使わずして、一般の柄つき傘を差すことができるようにしたバンドに関するものである。
【背景技術】
【０００２】  雨や雪などで一般の柄つき傘を差す場合、左右どちらかの片手を使用するため両手を必要とする作業時には不便である。また頭に載せる帽子型の傘はあるが一般の柄つき傘の使用はできない難点がある。
【考案の開示】
【考案が解決しようとする課題】
【０００３】  傘を差す必要がある時、一般の柄つき傘を両の手を使わずして差し、前述の難点を解決しようとするものである。
【課題を解決するための手段】
【０００４】  本考案は、一般に使用する傘の柄部を取り付ける器具と、その器具を身体に固定するバンドを設けて、前述の課題を解決するものである。
【考案の効果】
【０００５】  上述のように雨や雪などの際に、必要に応じて一般の柄つき傘を使用することが可能で、空いた両手で他の作業ができる。例えば、雨や雪の日に戸外で写真撮影をする場合、手元のカメラなどを濡らすことなく両手を用いて晴れた日同様に操作ができ、非常に便利である。
【考案を実施するための最良の形態】
【０００６】  本考案のノンハンド傘差しバンドの傘柄部固定具を左胸部に当て、両サイドに設けた胴バンドと、下がらないように上部に設けた肩掛けバンドをそれぞれ締め付け固定して、開いた傘の柄部を取り付けることで雨や雪などの際に、傘を差した状態でも両手の自在が可能となる。
【実施例】
【０００７】  以下、添付図面に従って一実施例を説明する。１は人物、２は傘の柄を取り付ける傘柄部固定具、３は傘柄部固定具を胸部に固定するための胴バンド、４は胴バンドの連結部、５は傘柄部固定具が下がらないように固定するための肩掛けバンド、６は肩掛けバンドの連結部、７は開いた傘柄の下部である。【０００８】  本考案の一実施例は上記の如き構成から成るものであるから、ノンハンド傘差しバンドの装着に当っては、肩掛けバンド５を当連結部６に連結したまま緩めた状態の輪に左腕を入れる、次に胴バンド連結部４から外した状態の胴バンド３の端を背後から右前に廻して胴バンド連結部４にはめ込み、傘柄部固定具２が胸部の適当な位置になるように胴バンド３の端を引張って固く締める、更に肩掛けバンド５の端を引張って傘柄部固定具２が定位置より下がらないように固く締めて固定する、次に傘柄部固定具２に、開いた傘柄の下部７を取り付けることで両の手を使わずして傘を差すことが可能となる。
【図面の簡単な説明】
【０００９】
【図１】本考案のノンハンド傘差しバンドの実施例を示す正面図である。
【図２】本考案のノンハンド傘差しバンドの実施例を示す背面図である。
【図３】傘を取り付けた、傘柄部固定具２の拡大図である。
【符号の説明】
【００１０】  １  人物
２  傘柄部固定具
３  胴バンド
４  胴バンド連結部
５  肩掛けバンド
６  肩掛けバンド連結部
７  傘柄の下部
【図１】
0003141937.tif 000003
【図２】
0003141937.tif 000004
【図３】
0003141937.tif 000005
(57)【要約】【課題】室内犬用のトイレであること。雄犬雌犬ともに使用でき、トイレ外を排泄物で汚染することがなく、かつ、排泄物が直視されにくい構造であること。排泄物で腐食しない、また、常に清潔を保てるように丸洗い出来るアクリル樹脂で作ること。室内設置に適したデザインにすること。【解決手段】耐腐食性、耐久性、丸洗い出来るアクリル樹脂を使用し、床から３０センチ以上の壁を四方に作り箱形のトイレとする。構造を犬の習性に合わせてデザインし、トイレの失敗の少ないもとする。シンプルなデザインとしインテリアとの調和を図る。【選択図】図１
0003141940.tif 000002
【実用新案登録請求の範囲】
【請求項１】
壁を作ることにより、排泄の失敗を無くし、排泄の臭いを部屋に広げない犬用トイレ。
【考案の詳細な説明】
【考案の詳細な説明】
【技術分野】
【０００１】本考案は、室内で飼育する犬用の箱形のトイレに関するものである。
【背景技術】
【０００２】犬の習性として、雄犬は足を上げてオシッコを飛ばす。ウンチをする時は、ウンチをする場所を確定するまでにグルグルまわる習性がある。排泄している時は無防備になるため、敵から襲われないように、姿を隠して排泄するのが動物の習性である。排泄物の臭いが部屋中に広がってしまう。
【考案の開示】
【考案が解決しようとする課題】
【０００３】市販されている犬用の室内トイレは大きく分けて２種類である。床に置くフラットなトイレタイプとＬ字型のオスを対象としたトイレである。両タイプともオシッコの飛び散り防止にはならない。ウンチの場所を決めるためにグルグルまわっているうちに、トイレから外れたところにウンチをしてしまうのを防がなくてはいけない。排泄の際安心して用をたせるようにしてあげなくてはいけない。これらの問題は室内犬を飼育する上で日常的かつ非常に大きな問題でありながら理想的な解決作となるトイレがないままである。
本考案は、これらの問題を解決するためのものである。
【課題を解決するための手段】
【０００４】床から３０センチぐらいの高さで排泄物の臭いが部屋中に広まっていくのが観察の結果判明したので、壁を床から３０センチ以上の壁を作れば排泄物の臭いが広まるのを防げる。壁で四方を囲むので、オシッコの飛び散りを防げる。形状を箱形にすれば、ウンチをするとき、トイレの中でグルグルまわっても、トイレから外れることなく用を足せる。
単なる箱ではなく、犬の習性を充分に勘案して全体を設計した。
【考案の効果】
【０００５】床から３０センチ以上の高さの箱形にすることで、オシッコの飛び散り防止になった。特に足を上げてオシッコをする雄犬の尿を壁がキャッチするので、部屋の壁を汚すことが全くなくなった。箱の壁の高さが床から３０センチ以上あるので、部屋中に排泄の臭いが部屋中に広がらなくなった。壁に囲まれるので、犬が安心して排泄するようになった。テレビの陰に隠れて排泄していた犬が、安心してトイレで排泄出来るようになった。壁があり、個室に入る形状なので、ウンチの時にグルグルまわってもトイレから外れることなく排泄が出来るようになった。素材をアクリル樹脂にすることにより、耐腐食性、耐久性に優れ、丸洗いが出来、常に清潔を保てるようになった。
【考案を実施するための最良の形態】
【０００６】全体を長方形の形態としペットの体が自然にトイレの長軸方向と平行になるように設計した。
これにより雄犬は排尿を長辺をなす壁に対して行うこととなる。この壁にはクリップを付けトイレシートを壁にシートを固定出来るようにした。壁を四方に設けたことおよび出入り口に低い壁を作ったことにより犬はトイレの中に全身を入れることになり、トイレから外れて排泄することがなくなる。常に清潔を保つために、耐腐食性、耐久性、丸洗い出来るアクリル樹脂を使用する。壁の高さを床から３０センチ以上にすることにより排泄の臭いを部屋中に広めなくて済む。一番重要なのは四方に設けた壁の高さを床から３０センチ以上にすることである。
【実施例１】
【０００８】構造は、床から３０センチ以上ある壁で囲まれた長方形の立体であり、側壁の長辺あるいは短辺に出入り口（１）を設ける。出入り口部（２）に高さを設ける。立ち上がりの構造と高さにより犬は出入り口の立ち上がりを超えて、体全体をトイレの中に移動することとなり、トイレからはみ出して排泄することがなくなる。雄犬は足をあげてオシッコをする習性があるが、側壁が四方に設けられているためトイレの外を汚染することはない。側壁の長辺側にトイレシートをクリップで装着することにより、トイレ自体の汚染を防ぐことが出来る。また長方形の形態のため、犬は短辺側に排尿することはない。底部の形態と大きさは市販トイレシートの規格に一致させてあり、トイレシートをぴったりと設置することが出来る。丸洗いが出来るように、素材をアクリル樹脂で作っているので、常に清潔を保てる。
【図面の簡単な説明】
【０００９】
【図１】本考案の実施例を示す斜視図（長辺に出入り口があるタイプ）
【図２】本考案の実施例を示す斜視図（短辺に出入り口があるタイプ）
【符号の説明】
【００１０】１  出入り口
２  出入り口部の立ち上がり
【図１】
0003141940.tif 000003
【図２】
0003141940.tif 000004
(57)【要約】【課題】軽量化して、老人や子供などの体力のない奏者でも演奏や持ち運び等の面において扱い易くする。【解決手段】構造や材料において従来の津軽三味線と同様とする。棹２における上棹と中棹は、夫々長さ方向に切断して２分割し、２分割した夫々の切断面を長さ方向に所要の深さ及び範囲にわたって刳り抜く。胴８は、その四方の内面の中央部を夫々所要の深さ及び範囲にわたって刳り抜く。【選択図】図１
0003141983.tif 000002
【実用新案登録請求の範囲】
【請求項１】
棹の芯部を長さ方向に所要の深さ及び範囲にわたって刳り抜くと共に、胴の内面を所要の深さ及び範囲にわたって刳り抜いたことを特徴とする津軽三味線。
【請求項２】
上棹及び中棹の芯部を長さ方向に所要の深さ及び範囲にわたって刳り抜いてなる請求項１記載の津軽三味線。
【請求項３】
上棹及び中棹を夫々長さ方向に切断して２分割し、２分割した夫々の切断面を刳り抜いてなる請求項２記載の津軽三味線。
【考案の詳細な説明】
【技術分野】
【０００１】
本考案は津軽三味線に関し、更に詳細には軽量化して扱い易くなした津軽三味線に係わる。
【背景技術】
【０００２】
津軽三味線は、その構造においてはそれ以外の三味線と殆ど変わらないが、「太棹」と称するように棹が太い点に特徴がある。そして、棹の材料として、高級なものにあっては紅木が用いられる。斯かる紅木は材質が硬いことから音質が良く、且つまた棹の摩耗（勘減り）が少ないという利点がある。しかし、またその反面において他の材料よりも相当な重量があるという欠点もある。そして、これにより津軽三味線全体の重量が相当なものになり、体力のない奏者には演奏や持ち運び等の面において扱い難いという問題がある。
【０００３】
ところで、津軽三味線については、近年において若手の演奏家が脚光を浴びて、人気を博する等して一つのブームになっている。そして、津軽三味線については老年から若年まで幅広い層の愛好者がいる。
【０００４】
然るに、上記の如く従来の津軽三味線は重過ぎて、老人や子供などの体力のない奏者には扱い難いことから、この点の改善が望まれていた。尚、従来において三味線の軽量化を図るものとして特許文献１記載のものがある。
【０００５】
【特許文献１】特開２００１−１１７５５７号公報
【考案の開示】
【考案が解決しようとする課題】
【０００６】
そこで、本考案者らは、棹や胴の材料を変えずに従来通りの風合いや高級感を損なわず、且つまた全体の重量のバランスも損なわれないようにするためにはどのようにしたらよいかという点について鋭意研究した結果、棹と胴の両方の肉を、而も外見上全く分からない部分における肉を減ずることによりこれを達成することができることを知見し、本考案の完成をみるに至ったものである。
【課題を解決するための手段】
【０００７】
而して、本考案の要旨とするところは、棹の芯部を長さ方向に所要の深さ及び範囲にわたって刳り抜くと共に、胴の内面を所要の深さ及び範囲にわたって刳り抜いたことを特徴とする津軽三味線にある。
【０００８】
また、上記構成において、棹の芯部を長さ方向に所要の深さ及び範囲にわたって刳り抜く具体的な手段は、上棹及び中棹の芯部を長さ方向に所要の深さ及び範囲にわたって刳り抜くことである。
【０００９】
そしてまた、上記の如く上棹及び中棹の芯部を長さ方向に所要の深さ及び範囲にわたって刳り抜く具体的な手段は、上棹及び中棹を夫々長さ方向に切断して２分割し、２分割した夫々の切断面を刳り抜くことである。
【考案の効果】
【００１０】
本考案は、上記の如く、棹の芯部を長さ方向に所要の深さ及び範囲にわたって刳り抜くと共に、胴の内面を所要の深さ及び範囲にわたって刳り抜くものであり、棹と胴の両方の肉を、而も外見上全く分からない部分における肉を減ずることにより津軽三味線全体を軽量化したものである。これにより老人や子供などの体力のない奏者にも演奏や持ち運び等の面において扱い易くすることができるものである。また、棹や胴の材料は従来と全く同じであり且つまた肉を減じた部分は外見上全く分からない部分であるから、従来通りの風合いや高級感を保ち、且つまた棹と胴の両方の肉を減じたことにより全体の重量のバランスも保持することができるものである。
【考案を実施するための最良の形態】
【００１１】
以下、本考案に係る津軽三味線を実施するための最良の形態について、図面を参照して説明する。
【００１２】
図１は本考案の実施形態に係る津軽三味線の一部省略して示した棹及び胴の斜視図、図２は棹の一部切断して示した側面図、図３は胴の縦断面図、図４は胴の横断面図である。
【００１３】
図中、１は津軽三味線である。また、該津軽三味線１は、その構造及び材料において従来と同様である。２は従来と同様の紅木からなる棹であり、そして上棹３、中棹４、下棹５の三つに分割され、夫々を継手６、６で接合して一体化することは従来と同様である。尚、該継手６は、上棹３、中棹４、下棹５の夫々の端部に食い違い状に設けた段部６ａ、６ａと、ほぞ６ｃ及びほぞ穴６ｄとをもって構成されている。
【００１４】
そしてまた、該棹２において、上棹３と中棹４は、夫々長さ方向に切断７して２分割し、２分割した夫々３ａ、３ｂ、４ａ、４ｂの切断面を長さ方向に所要の深さ及び範囲にわたって刳り抜いている。３ａ′、３ｂ′、４ａ′、４ｂ′は夫々の刳り抜き部分である。また、切断面は接着剤をもって接着している。また、図示はしないが、刳り抜き部分３ａ′、３ｂ′、４ａ′、４ｂ′に発泡体を充填するようにしてもよい。
【００１５】
８は従来と同様の花梨からなる胴である。また、該胴８はその内面を所要の深さ及び範囲にわたって刳り抜いている。尚、本実施形態においては、胴８の四方の内面の中央部を夫々所要の深さ及び範囲にわたって刳り抜いている。８ａ、８ａはその刳り抜き部分である。
【００１６】
而して、本実施形態においては、上記の如く棹２における上棹３と中棹４の芯部を所要の深さ及び範囲にわたって刳り抜くと共に、胴８の内面を所要の深さ及び範囲にわたって刳り抜き、もって津軽三味線１全体を軽量化したものであるから、老人や子供などの体力のない奏者にも演奏や持ち運び等の面において扱い易くすることができるものである。また、棹や胴の材料は従来と同じであり且つまた肉を減じた部分は外見上全く分からない部分であるから、従来通りの風合いや高級感を保ち、且つまた棹２と胴８の両方の肉を減じたことにより全体の重量のバランスも保持することができるものである。
【図面の簡単な説明】
【００１７】
【図１】本考案の実施形態に係る津軽三味線の一部省略して示した棹及び胴の斜視図である。
【図２】棹の一部切断して示した側面図である。
【図３】胴の縦断面図である。
【図４】胴の横断面図である。
【符号の説明】
【００１８】
１  津軽三味線
２  棹
３  上棹
３ａ′、３ｂ′  刳り抜き部分
４  中棹
４ａ′、４ｂ′  刳り抜き部分
５  下棹
６  継手
７  切断部分
８  胴
８ａ、８ａ  刳り抜き部分
【図１】
0003141983.tif 000003
【図２】
0003141983.tif 000004
【図３】
0003141983.tif 000005
【図４】
0003141983.tif 000006
(57)【要約】      （修正有） 【課題】足ギフス装着時やスリッパに足を入れるのに苦労する人、また歩行中に脱げ落ちる状態の人が、楽に足を入れ、脱げ落ちる心配をせずに歩行できるスリッパを提供する。【解決手段】底材２と底材２の上に固定されている甲材３とからなるスリッパ１においての甲材３中央部を切り開き、その両側縦方向に穴を開け、そこにゴム５を交互に通し編み上げ状に形成し、切り開いた甲材部分をつなぐとともに、切り開いた前記甲材の足甲挿入方向側面部分にかかと掛けバンド６を接続した。【選択図】図１
0003141917.tif 000002
【実用新案登録請求の範囲】
【請求項１】
底材と底材の上に固定されている甲材とからなるスリッパにおいて、
甲材の中央部を切り開き、その両側にゴムを交互に通し編み上げ状に形成し、切り開いた甲材部分をつなぐとともに、切り開いた前記甲材の足甲挿入方向側面部分に足掛けバンドを接続し、足を挿入する容量を自由に調整できるとともに、脱げ落ちないように工夫した骨折ギブス・下半身障害者用スリッパ。
【考案の詳細な説明】
【技術分野】
【０００１】
本考案は足ギブス装着時や下半身不自由者に、使いやすいスリッパの形状に関するものである。
【背景技術】
【０００２】
骨折しギフ゛ス装着している足には、従来のスリッパは小さすぎて着用すると、不安定で危険であった。つまり、従来のスリッパは足を挿入する部分の容量に限界があり、かかとに掛けるゴムもないので、歩行中に脱げ落ちる可能性があり、骨折ギブス装着者や下半身不自由者にとって、拾って再度着用することは体への負担が大きかった。
【考案の開示】
【考案が解決しようとする課題】
【０００３】
そこで、本考案はこれらの不都合を解消するために、スリッパ本体に加工を施し、使用者が足幅容量を自由に増減し、加えてスリッパの脱落を防ぐことを目的としたものである。
【課題を解決するための手段】
【０００４】
本考案では、より足幅の容量を広げるために、切り開いた甲部分の両側縦方向に穴を数個開け、そこに細ゴムを交互に通し編み上げ状に結び、甲部分をつなぐ。そのゴムひもを長くすることで足幅容量をどのようにでも広げることが可能である。また、スリッパ甲部分から、かかとに掛けられるようにゴムを取り付けることで、骨折治療者や下半身不自由者の使用中におけるスリッパの脱落を防ぐことができる。
【０００５】
ここで使用する容量変更手段・スリッパ脱落防止手段は、足を挿入し脱落せず安全に歩行する為のものであり、加工も切断と部品の取り付けという簡易なものである為、各種の構成のものが使用しうる。
【０００６】
そこで、本考案は上記骨折・ギブス・下半身障害者用スリッパにおいてスリッパの素材、形状やゴムの形状、取り付け方法数量に関係なく、このような方式で足を挿入する部分を自由に変更でき、なおかつ脱落を防ぐことを可能にしたものを包含する。
【考案の効果】
【０００７】
上述したように本考案の骨折・ギブス・下半身障害者用スリッパは、ギフス装着時もギフスが薄くなったり腫れが引く途中の足にも、切開した甲部分のゴムを調節することで幅に合わせて着用可能であり、着脱の都度スリッパの甲部分を開閉する必要もないため、上肢・下半身障害者等にも、足を入れるだけで非常に簡単に着用できる。また、切り開いた甲材の足甲挿入方向中心部分にかかと掛けバンドを接続し、かかとに掛けられるようにしたため、使用中の脱落を防止し、安定して歩行できる。
【考案を実施するための最良の形態】
【０００８】
以下、本考案の実施の形態を図１に基づいて説明する。
【０００９】
図においては、１は細いゴム素材で長めにし、ほどけにくいようにスリッパの甲側から両端をそれぞれ右・左に同じ長さになるように通し、一つ飛びに編み上げ状に交互に通し、つま先側で結ぶ。
【００１０】
図においては、２は細いゴム素材が通る程度の穴を、縦線上に偶数個（スリッパの形状により６から８個）開ける。
【００１１】
図においては、３は幅１センチ長さ３０センチ程度の平ゴムを使用し、４のスリッパ基底部より６から７センチの付近に止め付ける。
【００１２】
図においては、５・６はつま先のないタオル生地で、吸水性・肌触りに優れ、なおかつ洗濯も可能な素材である。
【図面の簡単な説明】
【００１３】
【図１】本考案に係る骨折ギブス・下半身障害者用スリッパを横から見た図で、装着時の形状を示している。
【図２】本考案に係る骨折ギブス・下半身障害者用スリッパの斜視図で、切開した甲部分をゴムで編み上げつないだ状態を示している。
【符号の説明】
【００１４】
１  本考案の骨折ギブス・下半身障害者用スリッパ
２  甲材
３  底材
４  スリッパ本体
５  甲材接続ゴム
６  足掛けバンド
【図１】
0003141917.tif 000003
【図２】
0003141917.tif 000004
(57)【要約】      （修正有）【課題】使わない時や輸送時に、小スペースを可能とするバスケットワゴンを提供する。【解決手段】バスケットのフレーム上部の内側に脚受けを設置する事により複数段に積み重ねする事が出来て、使わないときや輸送時にはスタッキングする事により小スペースを可能にした。【選択図】図５
0003141930.tif 000002
【実用新案登録請求の範囲】
【請求項１】
バスケットの上部フレームの内側に複数の脚受けを設置し、次のバスケットの脚部を前記脚受けにセットする事により複数の積み重ねが可能になる、また使用しない時や輸送時にはスタッキングする事により小スペースが可能な積み重ねバスケットワゴン。
【考案の詳細な説明】
【技術分野】
【０００１】
本考案は収納の分野でリビングやキッチン等で小物の収納やスーパー等店舗で商品を展示収納整理するバスケットワゴンに関するものである。
【背景技術】
【０００２】
従来から複数段に積み重ねて商品を展示収納整理するバスケットワゴンがあった。
【考案の開示】
【考案が解決しようとする課題】
【０００３】
従来の物はバスケットを複数段に積み重ねて使用する事は可能であるが、使用しない時や、輸送時にも同じ大スペースが必要である。
【課題を解決するための手段】
【０００４】
従来の物はバスケットを積み重ねるための脚受けが上部フレームの外側に設置されているために、前記バスケットを複数段に積み重ねることはできるが、使用しない時や輸送時にも同じ大スペースが必要である。
本考案は前記上部フレームの内側に脚受けを設置する事により、前記バスケットを複数段に積み重ねができ、使用しない時や輸送時にはスタッキングする事により小スペースが可能になる。
本考案はこれ等の問題点を解決するために考案されたものである。
【考案の効果】
【０００５】
バスケットを積み重ねるための脚受けを前記バスケットの上部フレームの内側に設置する事により複数段の積み重ねができ、使用しない時や輸送時にはスタッキングすることにより小スペースになる積み重ねバスケットワゴン。
【考案を実施するための最良の形態】
【０００６】
（図１）正面図
（図２）左側面図
（図３）右側面図
（図４）部品図
（図５）従来の物の図及び本考案の物の図
（図１〜図６）の符号
１下段バスケット
２上段バスケット
１−１下段バスケット脚受け
１−２キャスター受け
２−１上段バスケット脚受け
２−２上段バスケット脚
３キャスターセット
４ブレーキ付キャスターセット
【図面の簡単な説明】
【０００７】
【図１】正面図
【図２】左側面図
【図３】右側面図
【図４】部品図
【図５】従来の物の図および本考案の物の図
【符号の説明】
【０００８】
１下部バスケット
１−１下段バスケット脚受け
１−２キャスター受け
２上段バスケット
２−１上段バスケット脚受け
２−２上段バスケット脚
３キャスターセット
４ブレーキ付キャスターセット
【図１】
0003141930.tif 000003
【図２】
0003141930.tif 000004
【図３】
0003141930.tif 000005
【図４】
0003141930.tif 000006
【図５】
0003141930.tif 000007
【手続補正書】
【提出日】平成20年3月7日(2008.3.7)
【手続補正１】
【補正対象書類名】図面
【補正対象項目名】図５
【補正方法】変更
【補正の内容】
【図５】
0003141930.tif 000008
(57)【要約】【課題】本考案はおもり本体の両端に上糸並びに下糸を結束する回転式ハリス止め、サルカンを組み合わせることにより、おもりの交換    が簡単に実行可能となり、本体の回転動作により根掛かりを減少させ、直接に糸を結束することにより竿感度が向上する。【解決手段】本考案はおもり１の両端に回転ハリス止め２スイベル３を設けた回転両ハリス止めおもりを特徴とする、おもり本体が回転  することにより石や岩等の水中の障害物による根掛かりを減少させ、回転することにより下糸の動きが上糸に干渉することを防ぎ、金属糸、新素材糸等の糸ヨレを防ぎハリス止め、スイベルによりおもりの取り付け、取替え、取りはずしが容易になりハリス止め２、スイベル３にて直接糸と結束するため竿感度が向上し、また下糸のみの交換も実現した。                                                【選択図】図１
0003141922.tif 000002
【実用新案登録請求の範囲】
【請求項１】
おもり１の両端に回転ハリス止め２を埋め込んだ回転式両ハリス止め付きおもり
【請求項２】
おもり１の両端にスイベル３を埋め込んだ回転式両スイベル付きおもり
【請求項３】
おもり１の片方にスイベル３と回転ハリス止め２を埋め込んだスイベル付き回転式ハリス止め付きおもり
【考案の詳細な説明】
【技術分野】
【０００１】
両端のハリス止め又、スイベルが回転することにより根掛かりを減じ上糸と下糸を不干渉とし金属糸、新素材糸等のヨレを防止す  
る。両端ハリス止めにておもり本体並びに下糸の取替えを簡単にするものである。
両端にハリス止めを用いる事により迅速な取り付け、取り外しが容易に行うことが可能である。
【背景技術】
【０００２】
従来のおもりの取り付けは本体の割断部の開閉にて糸に固定する形状又は本体に埋め込まれている糸を結束するものである。
【特許文献１】特開平１０−９４３５４
【考案の開示】
【考案が解決しようとする課題】
【０００３】
解決しようとする問題点は、従来のゴム張りおもりの取り付けは本体の割断部の開閉にて糸に固定する為に外れ易く、動き易い。割    
断部において                       
糸とのカンゴウ材にゴムを使用するため竿の操作感度が鈍い、上糸に固定されている為に障害物に干渉しやすく根掛かりが多い。本体の回転に糸も追随し下糸の動きを制限する欠点があった。                                                                                                                      糸貫通式おもりも上糸に固定されている為に障害物に干渉しやすく根掛かりが多い。本体の回転に糸も追随し下糸の動きを制限する欠点があった。                                                                                                                                                                                                                                                                        糸での結束は２箇所の為、手間が掛かる欠点があった。
【課題を解決するための手段】
【０００４】
本考案は、回転ハリス止め２、スイベル３を両端に備える事を最も主要な特徴とする。
【考案の効果】
【０００５】
本考案の回転両ハリス止めスイベルおもりは、本体が回転することにより障害物による、根掛かりを減らし、金属糸、新素材糸等の    
ヨレを防ぎ下糸が自由ために囮魚に干渉しにくい。両端ハリス止め、スイベルに拠り、直接糸と結束されるため竿感度が良好になり、おもりが外れにくく、結束しやすい為に取替え、取り外しも簡単にでき下糸のみの交換も実現した。
【考案を実施するための最良の形態】
【０００６】
以下、本考案を実施するための最良の形態について説明する。
おもり１の左右両端に回転ハリス止め２、スイベル３を設ける。
本考案は、以上のような構造である。
これを使用するときは、糸をハリス止めまたはスイベルに結束する。
【図面の簡単な説明】
【０００７】
【図１】回転両ハリス止めおもりの実施方法を示した正面図である。
【図２】回転両スイベルおもりの実施方法を示した正面図である。
【図３】回転片ハリス止め片スイベルおもりの実施方法を示した正面図である
【符号の説明】
【０００８】
１    おもり
２    ハリス止め
３    スイベル
【図１】
0003141922.tif 000003
【図２】
0003141922.tif 000004
【図３】
0003141922.tif 000005
(57)【要約】      （修正有）【課題】溝及び狭いすき間などに生えた草を根こそぎ除去し、壁・ブロック等もきれいに早く除草することができるＬ字状刃体の溝用除草器具を提供する。【解決手段】刃先の先端をトビグチ状に形成し、Ｌ字状刃体の頭頂部と刃体の前側にも刃を設けたことを特徴とする溝用除草器具。【選択図】図１
0003141928.tif 000002
【実用新案登録請求の範囲】
【請求項１】
刃の先端をトビグチ状に形成し、Ｌ字状刃体の頭頂部と刃体の前側にも刃を設けたことを特徴とする溝用除草器具。
【考案の詳細な説明】
【技術分野】
【０００１】  本考案は刃先をトビグチ状に刃体の頭頂部と刃体の前側に刃を形成した除草器具に関するものである。
【背景技術】
【０００２】  従来刃先をトビグチ状にした鎌状のものはあった。
【考案の開示】
【考案が解決しようとする課題】
【０００３】  そのために次のような問題点があった。
（イ）溝、すき間等から生えた草を刃体を押して切除することはできなかった。
（ロ）ブロック、壁の角などきれいに除草することが難しかった。
本考案はこれらの問題を解決するためになされたものである。
【課題を解決するための手段】
【０００４】  刃の先端をトビグチ状に形成し、Ｌ字状刃体の頭頂部と刃体の前側にも刃を設けた。以上を特徴とする溝用除草器具である。
【考案の効果】
【０００５】  溝及び狭いすき間などに生えた草を根こそぎ除去し、壁・ブロック等もきれいに早く除草することができる。
【考案を実施するための最良の形態】
【０００６】  以下本考案の実施の形態について説明する。
（イ）刃先（１）をトビグチ状に形成し、刃体（５）の頭頂部（２）を平らに形成しＵ字型刃（３）を設ける。
（ロ）刃体（５）の前側に波刃（４）を設けて刃体（５）に柄（６）を装着して口金（７）と鋲（８）で固定する。
溝の草を頭頂部（２）のＵ字刃（３）で押し切りトビグチ状の刃先（１）を溝のすき間に刺し込み、根を引き抜く。本考案の形態は柄の長い物と短い物の二種類がある。
【図面の簡単な説明】
【０００７】
【図１】本考案の平面図
【図２】本考案の背面図
【図３】本考案の側面図
【符号の説明】
【０００８】１  刃先
２  頭頂部
３  Ｕ字型
４  波刃
５  刃体
６  柄
７  口金
８  鋲
【図１】
0003141928.tif 000003
【図２】
0003141928.tif 000004
【図３】
0003141928.tif 000005
(57)【要約】      （修正有）【課題】冠婚葬祭や催物で遠くにいる人にも祭典の様子がわかり易くするための映像表示装置を提供する。【解決手段】冠婚葬祭やイベントで出される花輪の中心に写真を貼るまたは、液晶画面やプロジェクターなどの映像表示装置を使って人や祭典の様子を映す。【選択図】図１
0003141923.tif 000002
【実用新案登録請求の範囲】
【請求項１】
冠婚葬祭時や祭典時に使われる花輪の中心に人の写真を貼ったもの。
【請求項２】
冠婚葬祭時や祭典時に使われる花輪の中心に人や祭典の様子を映像で映し出す装置がついたもの。
【考案の詳細な説明】
【技術分野】
【０００１】これは冠婚葬祭や催物で出される花輪の中心に写真や画像を出して多くの人の目に入りやすくしたものである。
【背景技術】
【０００２】従来から冠婚葬祭や催物で出されている花輪がある。
【考案の開示】
【考案が解決しようとする課題】
【０００３】冠婚葬祭時や店の開店等の催物に表に出す人に対し敬意を表す形で花輪の中心に絵とか花でなくその人、本人又はグループの写真や動画を出して意を良り鮮明にし、あまり縁の遠い人にも参列した人に印象を残すイベントの代物である。
【課題を解決するための手段】
【０００４】図１のように花輪の中心に写真張る。または、写真や動画を液晶画面やプロジェクターなどの映像表示装置を使って映し出す。
【考案の効果】
【０００５】対象とする人や企画上の催物を多くの人に見てもらえやすくなる。
【考案を実施するための最良の形態】
【０００６】図１のように花輪の中心に写真を貼る。【０００７】図１のようにパソコンやビデオとつながった映像表示装置を取り付け人又は催物を映し出す。【０００８】図１のようにパソコンやビデオとつながったプロジェクター装置を使って映像を映し出す。
【図面の簡単な説明】
【０００９】
【図１】本考案の正面図である。
【図２】本考案の使用状態を示す横から見た図である。
【符号の説明】
【００１０】１    写真または映像表示装置もしくはプロジェクターを映し出す幕
２    花輪
３    札
４    プロジェクター
５    パソコンまたはビデオ
６    電線
【図１】
0003141923.tif 000003
【図２】
0003141923.tif 000004
【手続補正書】
【提出日】平成20年2月16日(2008.2.16)
【手続補正１】
【補正対象書類名】実用新案登録請求の範囲
【補正対象項目名】全文
【補正方法】変更
【補正の内容】
【実用新案登録請求の範囲】
【請求項１】
冠婚葬祭時や祭典時に使われる花輪の中心に人の写真を貼った花輪。
【請求項２】
冠婚葬祭時や祭典時に使われる花輪の中心に人や祭典の様子を映像で映し出す装置がついた花輪。
(57)【要約】【課題】高い構造強度を有する自転車の防振フロントフォークのベースを提供する。【解決手段】二つの直管２０およびブリッジ部３０を備える。ブリッジ部３０は、両端が一体成形により直管２０の上段２１と連結される。ブリッジ部３０は内部に発泡体の心材を有するチャンバ３２を有する。ブリッジ部３０と二つの直管２０とを連結することが可能であり、ブリッジ部３０と二つの直管２０の間には完全に隙間が生じないだけでなく、構造が安定し、構造強度が極めて高くて高強度の応力に耐えられ、使用寿命を長くすることができる。【選択図】図１
0003141959.tif 000002
【実用新案登録請求の範囲】
【請求項１】
二つの直管と、
両端が一体成形により前記直管の上段と連結され、かつ、内部にチャンバを有するブリッジ部と、
を備えることを特徴とする自転車の防振フロントフォークのベース。
【請求項２】
前記ブリッジ部の前記チャンバは中に発泡体の心材を有することを特徴とする請求項１に記載の自転車の防振フロントフォークのベース。
【請求項３】
二つの前記直管と前記ブリッジ部は繊維補強樹脂からなることを特徴とする請求項１に記載の自転車の防振フロントフォークのベース。
【請求項４】
前記直管は大径部と小径部を有し、前記大径部は前記直管の上段に設けられることを特徴とする請求項１に記載の自転車の防振フロントフォークのベース。
【考案の詳細な説明】
【技術分野】
【０００１】
本考案は自転車の防振フロントフォークのベースに関し、特にオフロード自転車またはマウンテンバイクに適する自転車の防振フロントフォークのベースに関する。
【背景技術】
【０００２】
従来の自転車に用いる防振フロントフォークは上部構造とベースから構成される。上部構造はステアリングコラムと、ステアリングコラムの底端に装着されるフォーククラウンと、フォーククラウンの両端から延伸して形成される二つのフォークブレードとを含む。ベースは上部構造の二つのフォークブレードを差し込むための二つの直管と二つの直管を連接するブリッジ部とを有する。直管の底端は前輪との接続に用いられ、直管は防振効果を与えるため内部に油液及び／またはスプリングを有する。
【０００３】
従来の防振フロントフォークのベースは別々に成形された二つの直管とブリッジ部とを接着剤で連結することにより構成されるため、長期にわたって使用されると直管とブリッジ部の間の接着剤層は疲労または劣化して隙間を生じさせることが原因で、直管とブリッジ部とが分離してしまうという事態を招く。
【考案の開示】
【考案が解決しようとする課題】
【０００４】
本考案の主な目的は、高い構造強度を有する自転車の防振フロントフォークのベースを提供することである。
本考案のもう一つの目的は使用寿命が長い自転車の防振フロントフォークのベースを提供することである。
【課題を解決するための手段】
【０００５】
上述の目的を達成するために、本考案による自転車の防振フロントフォークのベースは二つの直管とブリッジ部を備える。そのうちのブリッジ部は両端が一体成形により直管の上段と連結され、ブリッジ部は内部にチャンバを有する。
【考案を実施するための最良の形態】
【０００６】
（一実施形態）
以下、本考案の一実施形態を図面に基づいて説明する。
本考案の一実施形態による防振フロントフォークのベースは、図１から図４に示すように、炭素繊維補強樹脂から構成される。繊維は炭素繊維に限らずガラス繊維、ホウ素繊維またはケブラー（登録商標）繊維などを採用することが可能である。樹脂は熱固性樹脂または熱塑性樹脂である。防振フロントフォークのベース１０は二つの直管２０とブリッジ部３０を備える。
直管２０は大径部２２と小径部２４を有する。大径部２２は直管２０の上段２１に位置付けられ、図示しないオイルシールの装着に用いられる。小径部２４は図示しない上部構造のフォークブレードを差し込むのに用いられる。
ブリッジ部３０は両端が一体成形方式によって直管２０の上段２１と連結され、ブリッジ部３０は内部にチャンバ３２を有する。チャンバ３２は中に発泡体の心材３４を有する。
【０００７】
本考案の一実施形態による防振フロントフォークのベースを実際に製造する場合、まず二つの直管２０を硬化成形する。続いて樹脂を含浸した繊維織布で二つの直管２０の上段２１を包んでブリッジ部３０の雛形を形成し、そしてブリッジ部３０の中に発泡体の心材３４を詰める。その後、図示しない金型に入れて加熱によって樹脂を硬化成形すると同時に、熱を受けて膨張してきた発泡体の心材３４によって繊維織布を金型の内壁に密着させる。これにより、図５に示すようにブリッジ部３０と二つの直管２０とを連結することが可能であり、かつブリッジ部３０と二つの直管２０の間には完全に隙間が生じないだけでなく、構造が安定し、構造強度が極めて高くて高強度の応力に耐えられ、使用寿命を長くすることができる。このため、特にオフロード自転車またはマウンテンバイクに適用することが可能である。
【０００８】
本考案の精神に基づいて、防振フロントフォークのベース１０の構造に変化を加えることが可能である。例えば、発泡体の心材３４の代わりに熱を受けて気体に変換する液体または固体物質などをブリッジ部３０の内部に詰めることも可能である。また需要に応じて二つの直管２０の大径部２２と小径部２４の配置をやめるかそれらの形を変えることも可能であるため、容易に着想可能な構造の変化は本考案の請求の範囲に属すべきである。
【図面の簡単な説明】
【０００９】
【図１】本考案の一実施形態による自転車の防振フロントフォークのベースの正面図である。
【図２】本考案の一実施形態による自転車の防振フロントフォークのベースの平面図である。
【図３】本考案の一実施形態による自転車の防振フロントフォークのベースの側面図である。
【図４】図１の４−４線に沿った断面図である。
【図５】図１の５−５線に沿った断面図である。
【符号の説明】
【００１０】
１０：防振フロントフォークのベース、２０：直管、２１：上段、２２：大径部、２４：小径部、３０：ブリッジ部、３２：チャンバ、３４：発泡体の心材
【図１】
0003141959.tif 000003
【図２】
0003141959.tif 000004
【図３】
0003141959.tif 000005
【図４】
0003141959.tif 000006
【図５】
0003141959.tif 000007
(57)【要約】      （修正有）【課題】前面、側面、背面の部分が蓄尿袋らしくない装飾とカバーを蓄尿袋の上から装着し、上下どちらからでも蓄尿袋を出し入れ可能な蓄尿袋カバーを提供する。【解決手段】被せ型の介護用蓄尿袋カバーは、筒状の生地の合わせ目を開閉可能にし、筒状の生地の上部に係止用のブリッジを渡し掛ける構成である。【選択図】図１
0003141943.tif 000002
【実用新案登録請求の範囲】
【請求項１】
筒状の生地の合わせ目を開閉可能にした介護用蓄尿袋カバー
【請求項２】
前記筒状の生地の上部に係止用のブリッジを渡し掛けた被せ型の請求項１に記載の介護用蓄尿袋カバー
【考案の詳細な説明】
【技術分野】
【０００１】
本考案は、医療の現場及び在宅介護で使用される蓄尿袋カバーに関する。
【背景技術】
【０００２】
従来、医療現場では、術後、老若男女を問わず患者の排泄補助として蓄尿袋を使用し、患者に装着されている。
【０００３】
医療従事者の立場では、蓄尿袋を患者に装着する事は特に問題視されていない。しかし
ながら、患者が、リハビリの一環として施設内を往来する場合や見舞客に対する場合など
装着されている蓄尿袋が人目に曝されるため、患者は羞恥を覚え、精神的な負担を強いられていることが懸念される。
【０００４】
そこで、このような問題を解決するために、蓄尿袋を人目に付かないように隠し、患者が気兼ねなく携帯できるようにした収納袋が提案されている。この収納袋は、前面に透明部分を設けると共にこの透明部分を隠すカバーを設け、さらに上端を開口して蓄尿袋を収納できるようにしたものである。（特許文献１）
【０００５】
しかしながら上記は、バック型であるため、出し入れが容易でなく、臭いも内にこもりやすい。また、前面が２枚構造のため、医療従事者にとっては手元が不便であるとともに、蓄尿袋自体を袋に固定しており、構造が複雑で収納袋の製造コストが高くなることが懸念される。さらには、現在、医療現場で使用されている蓄尿袋はそれ自体が固定できるように取手を有しており、収納袋に固定して持ち歩く必要が無くなっているなど現場の事情にそぐわないという問題点があった。
【０００６】
【特許文献１】特開２００１−８７２９８
【考案の開示】
【考案が解決しようとする課題】
【０００７】
本考案の課題は、従来の蓄尿袋が有する患者への精神負担と金銭負担と医療従事者負担を、軽減するものである。介護用品の高価格化の減少、高齢化社会になりつつある現代の介護にかかる経費削減等、一般庶民へも広範囲で受け入れられるものを提供することである。
【課題を解決するための手段】
【０００８】
上記目的を達成するために前面、側面、背面の部分が蓄尿袋らしくない装飾とカバーを
蓄尿袋の上から装着し、上下どちらからでも蓄尿袋を出し入れ出来るものを見出した。
【０００９】
すなわち、本考案は以下の考案を包含する。
（１）筒状の生地の合わせ目を開閉可能にした介護用蓄尿袋カバー
（２）前記筒状の生地の上部に係止用のブリッジを渡し掛けた被せ型の（１）請求項１に記載の介護用蓄尿袋カバー
【考案の効果】
【００１０】
本考案により、蓄尿袋を必要とする老若男女ともに精神的な負担から解放され、介護の金銭的負担及び作業性が向上する。
【考案を実施するための最良の形態】
【００１１】
本考案は、蓄尿袋の表面を生地で覆い、排尿口部分を打合せにすることで一切、蓄尿袋カバーとは考えにくいものを提供する。
【００１２】
以下、本考案の一態様として図面を参照して説明する。
【００１３】
該カバーの構造は蓄尿袋のサイズに合わせた生地を筒状に配し、その生地の両端を前面で十分な深さを取って打合せ、蓄尿袋を覆い隠したものである。（図１、２）その上部に帯状或いはひも状のブリッジを背面から前面へ渡し（2）、カバー上部の開閉を行うと共に、蓄尿袋とカバーとを固定する。カバー前面上部に留め具（1）を配し、背面から伸びる2を前面1で受ける。2は前面１上の部分であれば自由に固定可能。
3、4はいずれも表面下部に配した留め具である。留め具1は凹側Ａを用い、留め具2、3、4は凸側Ｂを用いたものである。
本考案の介護用蓄尿袋カバーは、該カバーを蓄尿袋の上から被せ、2で微調整し、固定する。蓄尿袋の計量及び排尿の際には、打合せ3.4を1の留め具で受け、カバーを開放して用いる。（図３）
カバーの開放を維持することができるため、介護者の作業効率が向上することとなる。
【００１４】
本考案に用いる生地は、天然繊維、化学繊維、皮革、合皮、タオル地など素材に限定されないが、裏面に撥水性のある生地を用いるが好ましい。
【００１５】
本考案において、留め具としてはマジックテープ、ファスナー、ボタン、ホック、磁石など特に制限されず何でも利用可能である。
【００１６】
本考案品は、蓄尿袋カバーの他、点滴カバー、呼吸器の痰ケースカバーなどに用いることができ、用途に限定されない。
【００１７】
本考案の介護用蓄尿袋カバーは、前面は打合せ生地の自重により重みがかかるのでめくれにくく、蓄尿袋の存在が外から容易に分からない。また、構造自体に通気性があり、生地によって洗濯が出来るので清潔に保つことが可能である。
【図面の簡単な説明】
【００１８】
【図１】介護用蓄尿袋カバーの正面図である。
【図２】介護用蓄尿袋カバーの背面図である。
【図３】介護用蓄尿袋カバーの使用時の状態図である。
【符号の説明】
【００１９】
1  介護用蓄尿袋カバー前面上部に配した留め具
2  背面より前面に配したブリッジ
3  留め具
4  留め具
Ａ  留め具凹側
Ｂ  留め具凸側
【図１】
0003141943.tif 000003
【図２】
0003141943.tif 000004
【図３】
0003141943.tif 000005
(57)【要約】      （修正有）【課題】リニアモーターカーの同時走行でマンツーマン航空管制を果たすリニアモーターカー航空管制塔を提供する。【解決手段】飛行機１の有するコックピット（飛行機）４と同じコックピット（リニアモーターカー）５を有したリニアモーターカー２が、同時走行する事によってマンツーマン航空管制を果たすリニアモーターカー航空管制塔。コックピット（新幹線）６を有した新幹線３も同じ。【選択図】図１
0003141944.tif 000002
【実用新案登録請求の範囲】
【請求項１】
飛行機の有するコックピットをリニアモーターカーにも飛行機用コックピットとして有するリニアモーターカー航空管制塔。
【考案の詳細な説明】
【技術分野】
【０００１】
本考案は、従来の航空管制塔としてのリニアモーターカーを使って飛行機の離着陸の航空管制をするリニアモーターカー航空管制塔に関する。
【背景技術】
【０００２】
飛行場に航空管制のため設けられた航空管制塔です。
【考案の開示】
【考案が解決しようとする課題】
【０００３】
しかしながら、動かない航空管制塔では、管制観測位置が移動しないし、マンツーマン管制に不向きである。
【０００４】
本考案は上記実情に鑑みてなされたものであり、リニアモーターカーを採用し、マンツーマン管制の同時移動を果す事を目的としている。
【課題を解決するための手段】
【０００５】
上記目的を達成するため考案は、リニアモーターカーを有することであり、次の構成を含むことを特徴としている。
飛行機の有するコックピットと同じコックピットを有するリニアモーターカーが、同時に離着陸する航空機のマンツーマン航空管制塔として、パイロット、スチュワーデス、管制人が同乗して走行してその機能を果たすものである。新幹線も同じである。
【考案の効果】
【０００６】
本考案により、教師（リニアモーターカーコックピット運用者）とパイロット（飛行機のコックピット運用者）によるマンツーマン航空管制塔が構成でき安全が果たせる。
【考案を実施するための最良の形態】
【０００７】
本考案の実施の形態の一例について、図面を参照しながら説明する。
リニアモーターカー管制塔は図１に示すように、飛行機１．リニアモーターカー２．新幹線３．コックピット（飛行機）４．コックピット（リニアモーターカー）５．コックピット（新幹線）６．である。
【図面の簡単な説明】
【０００８】
【図１】本考案のリニアモーターカー管制塔である。
【符号の説明】
【０００９】
１.          飛行機
２.          リニアモーターカー
３.          新幹線
４.          コックピット（飛行機）
５.          コックピット（リニアモーターカー）
６.          コックピット（新幹線）
【図１】
0003141944.tif 000003